(57)【要約】【課題】操作性の良好なユーザインタフェース装置を提供する。【解決手段】ユーザインタフェース装置１０は、スキャナ１によって読み取られた画像情報に対して、プレビュー生成部１１はプレビュー画像情報、および分割された領域を示す領域アイコン情報を生成し、操作表示部１５に表示させる。トリミング生成部１２は、分割された領域の分割領域情報を生成する。操作表示部１５は領域アイコンから選択を受け付け、項目選択部１３は、領域アイコンから指定された場合、対応する分割領域での処理項目を選択する。分割プレビュー生成部１４は、選択された分割領域情報に対して、選択された処理を施し、処理項目と該処理後の分割プレビュー画像とを関連付けてメニュー表示する。【選択図】        図１
2007189663.tif 000002
【特許請求の範囲】
【請求項１】
入力画像のプレビュー画像の表示および表示された前記プレビュー画像上の位置の指定操作を受け付ける操作表示手段と、
前記操作表示手段における前記プレビュー画像の表示位置に対応付けられた少なくとも２以上の処理項目を、指定操作された前記プレビュー画像上の位置に応じて選択する項目選択手段と、
選択された少なくとも２以上の処理を前記入力画像に対してそれぞれ施した新たなプレビュー画像を生成するプレビュー生成手段と、
生成された前記各プレビュー画像を、前記操作表示手段にメニュー形式で表示させるプレビュー表示手段と、
を備えることを特徴とするユーザインタフェース装置。
【請求項２】
前記プレビュー生成手段は、指定操作された前記プレビュー画像上の位置によって定まる分割領域情報に対して、選択された少なくとも２以上の処理をそれぞれ施した分割プレビュー画像を生成する、
ことを特徴とする請求項１に記載のユーザインタフェース装置。
【請求項３】
前記プレビュー生成手段は、前記操作表示手段が前記プレビュー画像上の位置の指定を受け付ける前に、前記分割領域情報を生成する、
ことを特徴とする請求項２に記載のユーザインタフェース装置。
【請求項４】
前記プレビュー生成手段は、前記操作表示手段が前記プレビュー画像上の位置の指定を受け付けた後に、該指定を受け付けた位置によって定まる前記分割領域情報のみを生成する、
ことを特徴とする請求項２に記載のユーザインタフェース装置。
【請求項５】
前記プレビュー生成手段は、前記操作表示手段から指定される位置によって定まる分割領域情報がすでに存在するか否かを判定する判定手段をさらに備え、前記操作表示手段が前記プレビュー画像上の位置の指定を受け付けた後に、前記判定手段が前記位置に対応する分割領域情報が存在していないと判定する場合にのみ、該指定を受け付けた位置に対応する分割領域情報のみを生成する、
ことを特徴とする請求項２に記載のユーザインタフェース装置。
【請求項６】
前記プレビュー生成手段は、前記操作表示手段を介してメニュー形式で表示されている一の前記プレビュー画像の指定を受け付けた場合、該指定を受け付けた処理を前記入力画像に施し、
前記プレビュー表示手段は、該処理後のプレビュー画像をさらに表示する、
ことを特徴とする請求項１〜５のいずれか１つに記載のユーザインタフェース装置。
【請求項７】
前記プレビュー生成手段は、前記分割領域情報に対応付けられる領域アイコンを前記プレビュー画面上に生成し、
前記項目選択手段は、前記領域アイコンを介して位置の指定を受け付ける、
ことを特徴とする請求項２〜６のいずれか１つに記載のユーザインタフェース装置。
【請求項８】
前記プレビュー生成手段は、前記各プレビュー画像に対応する前記処理項目をタグの形態で生成する、
ことを特徴とする請求項１〜７のいずれか１つに記載のユーザインタフェース装置。
【請求項９】
前記プレビュー生成手段は、前記タグが前記分割プレビュー画像を囲む枠の一部を突出させる形態で生成する、
ことを特徴とする請求項８に記載のユーザインタフェース装置。
【請求項１０】
前記プレビュー生成手段は、前記分割プレビュー画像を所定の方向で一部分が順番に重なって配置される態様で生成する、
ことを特徴とする請求項２〜９のいずれか１つに記載のユーザインタフェース装置。
【請求項１１】
前記プレビュー生成手段は、前記分割プレビュー画像を、前記タグの処理項目情報は隠れない態様で生成する、
ことを特徴とする請求項８〜１０のいずれか１つに記載のユーザインタフェース装置。
【請求項１２】
前記プレビュー生成手段は、前記プレビュー画像を縦３つ、横３つの合計９つの領域に分割する、
ことを特徴とする請求項２〜１１のいずれか１つに記載のユーザインタフェース装置。
【請求項１３】
前記プレビュー生成手段は、前記入力情報に対して施す各種の処理項目を、前記プレビュー画像とは別に生成し、
前記項目選択手段は、前記プレビュー画像とは別に表示された前記処理項目から設定を受け付ける、
ことを特徴とする請求項１〜１２のいずれか１つに記載のユーザインタフェース装置。
【請求項１４】
前記操作表示手段は、接触入力が可能なタッチパネルを有する、
ことを特徴とする請求項１〜１３のいずれか１つに記載のユーザインタフェース装置。
【請求項１５】
操作表示部に表示された入力画像のプレビュー画像上の位置の指定操作を前記操作表示部を介して受け付ける工程と、
前記操作表示部における前記プレビュー画像の表示位置に対応付けられた少なくとも２以上の処理項目を、指定操作された前記プレビュー画像上の位置に応じて選択する工程と、
選択された少なくとも２以上の処理を前記入力画像に対してそれぞれ施した新たなプレビュー画像を生成する工程と、
生成された前記各プレビュー画像を、前記操作表示部にメニュー形式で表示させる工程と、
を含むことを特徴とするプレビュー画像表示方法。
【請求項１６】
操作表示部に表示された入力画像のプレビュー画像上の位置の指定操作を前記操作表示部を介して受け付ける機能と、
前記操作表示部における前記プレビュー画像の表示位置に対応付けられた少なくとも２以上の処理項目を、指定操作された前記プレビュー画像上の位置に応じて選択する機能と、
選択された少なくとも２以上の処理を前記入力画像に対してそれぞれ施した新たなプレビュー画像を生成する機能と、
生成された前記各プレビュー画像を、前記操作表示部にメニュー形式で表示させる機能と、
をコンピュータに実行させることを特徴とするプログラム。
【発明の詳細な説明】
【技術分野】
【０００１】
本発明は、ユーザインタフェース装置、プレビュー画像表示方法およびプログラムに関するものである。
【背景技術】
【０００２】
従来、複写装置、ファクシミリ装置、プリンタ装置等の画像処理装置においては、ユーザが画像処理装置の有する機能の中から実行させたい機能を選択し、所望の内容に設定するものであった。例えば、原稿の種類や濃度等の原稿の状態に関する設定、画像の拡大／縮小、片面／両面印刷、余白サイズ等の各種画像処理に関する設定及びソート、ステープル処理、パンチ穴あけ処理等の後処理に関する設定等を受け付けるようになっていた。
【０００３】
従来の画像処理装置は、これらの多種多様な設定をユーザに行わせるために、多数の設定項目を用意し、ユーザはこのような多数の設定項目のなかから意図する処理結果が得られるように設定操作を行う必要があった。
【０００４】
ところが、従来の画像処理装置では、設定内容によって最終的にどのような処理結果、例えば、印刷結果が得られるのかが、実際に印刷出力されないと分からず、予想外の仕上がりになってしまう場合も少なくなかった。
【０００５】
そこで、印刷結果の状態を示すプレビュー画像を表示するプレビュー表示装置（特許文献１参照）が提案されていた。また、紙質の異なる用紙形態の表現される用紙画像データが選択されると、当該選択された用紙画像データに対応した用紙上に画像データが印刷された状態のプレビュー画像を表示する画像処理装置（特許文献２参照）が提案されていた。また、編集処理された複数の画像データを合成して、プレビュー表示する画像形成システム（特許文献３参照）が提案されていた。
【０００６】
これらの従来技術は、いずれも設定内容に応じて画像処理した処理結果の画像を１枚ずつ、あるいは、複数枚を合成してプレビュー表示していた。そして、このようなプレビュー画像を見て設定をやり直す等の操作を行うことで、印刷出力される前に、仕上がり状態を確認して設定操作を行い、意図する画像出力を得ることができるとしている。
【０００７】
【特許文献１】特開２００３−５４７１号公報
【特許文献２】特開２００２−１０３７２６号公報
【特許文献３】特開平１１−２３４５０３号公報
【発明の開示】
【発明が解決しようとする課題】
【０００８】
しかしながら、特許文献１〜３の技術によれば、設定した項目の処理を施してプレビュー表示を試す必要があったのであるが、設定項目の数が多い場合、所望のプレビュー画像を表示させるに至るまでには、多くの試行錯誤の操作を行わなければならないという問題があった。
【０００９】
本発明は上記の問題に鑑みてなされその目的は、入力情報のプレビュー画像から位置を指定するだけで、複数の処理項目と該処理が施された状態のプレビュー画像をメニュー表示する操作性の良好なユーザインタフェース装置、プレビュー画像表示方法およびプログラムを提供することである。
【課題を解決するための手段】
【００１０】
上述した課題を解決し、目的を達成するために、請求項１にかかる発明のユーザインタフェース装置は、入力画像のプレビュー画像の表示および表示された前記プレビュー画像上の位置の指定操作を受け付ける操作表示手段と、前記操作表示手段における前記プレビュー画像の表示位置に対応付けられた少なくとも２以上の処理項目を、指定操作された前記プレビュー画像上の位置に応じて選択する項目選択手段と、選択された少なくとも２以上の処理を前記入力画像に対してそれぞれ施した新たなプレビュー画像を生成するプレビュー生成手段と、生成された前記各プレビュー画像を、前記操作表示手段にメニュー形式で表示させるプレビュー表示手段と、を備える。
【００１１】
請求項２にかかる発明は、請求項１に記載のユーザインタフェース装置において、前記プレビュー生成手段は、指定操作された前記プレビュー画像上の位置によって定まる分割領域情報に対して、選択された少なくとも２以上の処理をそれぞれ施した分割プレビュー画像を生成する。
【００１２】
請求項３にかかる発明は、請求項２に記載のユーザインタフェース装置において、前記プレビュー生成手段は、前記操作表示手段が前記プレビュー画像上の位置の指定を受け付ける前に、前記分割領域情報を生成する。
【００１３】
請求項４にかかる発明は、請求項２に記載のユーザインタフェース装置において、前記プレビュー生成手段は、前記操作表示手段が前記プレビュー画像上の位置の指定を受け付けた後に、該指定を受け付けた位置によって定まる前記分割領域情報のみを生成する。
【００１４】
請求項５にかかる発明は、請求項２に記載のユーザインタフェース装置において、前記プレビュー生成手段は、前記操作表示手段から指定される位置によって定まる分割領域情報がすでに存在するか否かを判定する判定手段をさらに備え、前記操作表示手段が前記プレビュー画像上の位置の指定を受け付けた後に、前記判定手段が前記位置に対応する分割領域情報が存在していないと判定する場合にのみ、該指定を受け付けた位置に対応する分割領域情報のみを生成する。
【００１５】
請求項６にかかる発明は、請求項１〜５のいずれか１つに記載のユーザインタフェース装置において、前記プレビュー生成手段は、前記操作表示手段を介してメニュー形式で表示されている一の前記プレビュー画像の指定を受け付けた場合、該指定を受け付けた処理を前記入力画像に施し、前記プレビュー表示手段は、該処理後のプレビュー画像をさらに表示する。
【００１６】
請求項７にかかる発明は、請求項２〜６のいずれか１つに記載のユーザインタフェース装置において、前記プレビュー生成手段は、前記分割領域情報に対応付けられる領域アイコンを前記プレビュー画面上に生成し、前記項目選択手段は、前記領域アイコンを介して位置の指定を受け付ける。
【００１７】
請求項８にかかる発明は、請求項１〜７のいずれか１つに記載のユーザインタフェース装置において、前記プレビュー生成手段は、前記各プレビュー画像に対応する前記処理項目をタグの形態で生成する。
【００１８】
請求項９にかかる発明は、請求項８に記載のユーザインタフェース装置において、前記プレビュー生成手段は、前記タグが前記分割プレビュー画像を囲む枠の一部を突出させる形態で生成する。
【００１９】
請求項１０にかかる発明は、請求項２〜９のいずれか１つに記載のユーザインタフェース装置において、前記プレビュー生成手段は、前記分割プレビュー画像を所定の方向で一部分が順番に重なって配置される態様で生成する。
【００２０】
請求項１１にかかる発明は、請求項８〜１０のいずれか１つに記載のユーザインタフェース装置において、前記プレビュー生成手段は、前記分割プレビュー画像を、前記タグの処理項目情報は隠れない態様で生成する。
【００２１】
請求項１２にかかる発明は、請求項２〜１１のいずれか１つに記載のユーザインタフェース装置において、前記プレビュー生成手段は、前記プレビュー画像を縦３つ、横３つの合計９つの領域に分割する。
【００２２】
請求項１３にかかる発明は、請求項１〜１２のいずれか１つに記載のユーザインタフェース装置において、前記プレビュー生成手段は、前記入力情報に対して施す各種の処理項目を、前記プレビュー画像とは別に生成し、前記項目選択手段は、前記プレビュー画像とは別に表示された前記処理項目から設定を受け付ける。
【００２３】
請求項１４にかかる発明は、請求項１〜１３のいずれか１つに記載のユーザインタフェース装置において、前記操作表示手段は、接触入力が可能なタッチパネルを有する。
【００２４】
請求項１５にかかる発明のプレビュー画像表示方法は、操作表示部に表示された入力画像のプレビュー画像上の位置の指定操作を前記操作表示部を介して受け付ける工程と、前記操作表示部における前記プレビュー画像の表示位置に対応付けられた少なくとも２以上の処理項目を、指定操作された前記プレビュー画像上の位置に応じて選択する工程と、選択された少なくとも２以上の処理を前記入力画像に対してそれぞれ施した新たなプレビュー画像を生成する工程と、生成された前記各プレビュー画像を、前記操作表示部にメニュー形式で表示させる工程と、を含む。
【００２５】
請求項１６にかかる発明のプログラムは、操作表示部に表示された入力画像のプレビュー画像上の位置の指定操作を前記操作表示部を介して受け付ける機能と、前記操作表示部における前記プレビュー画像の表示位置に対応付けられた少なくとも２以上の処理項目を、指定操作された前記プレビュー画像上の位置に応じて選択する機能と、選択された少なくとも２以上の処理を前記入力画像に対してそれぞれ施した新たなプレビュー画像を生成する機能と、生成された前記各プレビュー画像を、前記操作表示部にメニュー形式で表示させる機能と、をコンピュータに実行させる。
【発明の効果】
【００２６】
請求項１にかかる発明によれば、入力情報のプレビュー画像上から位置の指定を受け付け、あらかじめ定められている処理項目の中から、指定を受け付けられた位置に基づき、少なくとも２以上の処理項目を読み出すことにより選択し、該処理項目を入力情報に施した状態のプレビュー画像をメニュー表示するので、操作性の良好なユーザインタフェース装置を提供できるという効果を奏する。
【００２７】
請求項２にかかる発明によれば、位置の指定を受け付けた場合、該位置によって定まる分割領域情報を生成し、この分割領域情報に対して選択された処理を施した状態の分割プレビュー画像をメニュー表示するので、操作性の良好なユーザインタフェース装置を提供できるという効果を奏する。
【００２８】
請求項３にかかる発明によれば、プレビュー画像が位置の指定を受け付ける前に、分割領域情報を生成しておくので、プレビュー画像上から位置の指定を受け付けた場合、分割領域情報に対して選択された処理を施した状態の分割プレビュー画像を迅速にメニュー表示するので、操作性の良好なユーザインタフェース装置を提供できるという効果を奏する。
【００２９】
請求項４にかかる発明によれば、プレビュー画像が位置の指定を受け付けた後に、該指定された位置に対応する分割領域情報のみを生成して、この分割領域情報に対して選択された処理を施した状態の分割プレビュー画像をメニュー表示するので、効率良くメニュー表示を行うことができ、操作性の良好なユーザインタフェース装置を提供できるという効果を奏する。
【００３０】
請求項５にかかる発明によれば、プレビュー画像が位置の指定を受け付けた後に、該指定された位置に対応する分割領域情報が存在していない場合のみ、この分割領域情報を生成して、この分割領域情報に対して選択された処理を施した状態の分割プレビュー画像をメニュー表示するので、無駄が少なく効率良くメニュー表示を行うことができ、操作性の良好なユーザインタフェース装置を提供できるという効果を奏する。
【００３１】
請求項６にかかる発明によれば、メニュー表示から処理項目を指定して全体的なプレビュー画像に反映することができるので、全体の仕上がり状態が視認できる操作性の良好なユーザインタフェース装置を提供できるという効果を奏する。
【００３２】
請求項７にかかる発明によれば、プレビュー画像の分割領域に対応する領域アイコンを表示して位置の選択を受け付けるので、操作性の良好なユーザインタフェース装置を提供できるという効果を奏する。
【００３３】
請求項８にかかる発明によれば、処理項目情報をタグの形態でプレビュー画面上に表示してメニュー表示するので、処理に対する処理後のプレビュー画像が視認しやすく、操作性の良好なユーザインタフェース装置を提供できるという効果を奏する。
【００３４】
請求項９にかかる発明によれば、タグを分割プレビュー画像を囲む枠の一部を突出させる形態で表示させるので、処理に対する処理後のプレビュー画像が視認しやすく、操作性の良好なユーザインタフェース装置を提供できるという効果を奏する。
【００３５】
請求項１０にかかる発明によれば、分割プレビュー画像が所定の方向で一部分が順番に重なって配置される態様で表示させるので、メニュー表示に遠近感を持たせて見易くなり、操作性の良好なユーザインタフェース装置を提供できるという効果を奏する。
【００３６】
請求項１１にかかる発明によれば、タグの処理項目情報が隠れないようにメニュー表示するので、操作性の良好なユーザインタフェース装置を提供できるという効果を奏する。
【００３７】
請求項１２にかかる発明によれば、プレビュー画像を、９つの分割領域に分割するので、縦横３つずつの９つの領域から指定できるので、操作性の良好なユーザインタフェース装置を提供できるという効果を奏する。
【００３８】
請求項１３にかかる発明によれば、選択された処理項目を、分割プレビュー画像と離れた位置に表示するので、処理の設定に自由度を持たせることができ、操作性の良好なユーザインタフェース装置を提供できるという効果を奏する。
【００３９】
請求項１４にかかる発明によれば、接触入力が可能なタッチパネルを使用するので、操作性の良好なユーザインタフェース装置を提供できるという効果を奏する。
【００４０】
請求項１５にかかる発明によれば、入力情報のプレビュー画像上から位置の指定を受け付け、あらかじめ定められている処理項目の中から、指定を受け付けられた位置に基づき、少なくとも２以上の処理項目を読み出すことにより選択し、該処理項目を入力情報に施した状態のプレビュー画像をメニュー表示するので、操作性の良好なプレビュー画像表示方法を提供できるという効果を奏する。
【００４１】
請求項１６にかかる発明によれば、入力情報のプレビュー画像上から位置の指定を受け付け、あらかじめ定められている処理項目の中から、指定を受け付けられた位置に基づき、少なくとも２以上の処理項目を読み出すことにより選択し、該処理項目を入力情報に施した状態のプレビュー画像をメニュー表示するので、操作性の良好なプレビュー画像表示方法を、コンピュータに実行させることができるという効果を奏する。
【発明を実施するための最良の形態】
【００４２】
以下に添付図面を参照して、この発明にかかるユーザインタフェース装置、メニュー表示方法、およびその方法をコンピュータに実行させるプログラムの最良な実施の形態を、実施の形態１〜３、および変形例に沿って詳細に説明する。
【００４３】
（１．実施の形態１）
（１．１．ユーザインタフェース装置の構成）
実施の形態１によるユーザインタフェース装置は、入力情報のプレビュー画像上から位置の指定を受け付けて、指定された位置に対応する領域で可能な処理項目、およびこの処理が施されたプレビュー画像をメニュー形式で表示する。この構成によって、位置を指定する操作だけで、指定された領域に関連して可能性のある複数の処理項目、およびこの処理が施された状態で該領域の処理後のプレビュー画像をメニュー表示することができるので、操作性の良好なユーザインタフェース装置を提供できる。
【００４４】
また、操作表示部に表示されたメニューから処理項目の指定を受け付け、指定された処理を入力情報に施して、この処理後のプレビュー画像をさらに表示する。
【００４５】
ここで、位置の指定を受け付けた場合、入力情報のプレビュー画像全体、およびそのトリミングされた領域のいずれに対して複数の処理を施してメニュー表示しても良い。
【００４６】
図１は、実施の形態１によるユーザインタフェース装置を備えた画像形成装置の機能的ブロック図である。画像形成装置は、スキャナ１、画像処理部２、出力処理部３、画像出力部４、メモリ（ＨＤＤ）５、およびユーザインタフェース装置１０を備える。
【００４７】
スキャナ１は、原稿画像を読み取る。スキャナ１は、副走査方向に移動する原稿に読取光を照射し、その反射光をＣＣＤ（Ｃｈａｒｇｅ  Ｃｏｕｐｌｅｄ  Ｄｅｖｉｃｅ）等の光電変換素子で光電変換することによって、当該原稿の画像を読み取る。スキャナ１は、搭載する複数枚の原稿を一枚ずつ送り出すＡＤＦ（Ａｕｔｏ  Ｄｏｃｕｍｅｎｔ  Ｆｅｅｄｅｒ）を備えている場合、ＡＤＦから送られてくる原稿を順次、アナログ画像データとして読み取って、画像処理部２に送信する。
【００４８】
画像処理部２は、スキャナ１によって読み取ったアナログデータを受信し、デジタル画像データに変換して画像記憶部５に出力し、それと共に、ユーザインタフェース装置１０に送信する。
【００４９】
画像記憶部５は、大容量のＲＡＭ（Ｒａｎｄｏｍ  Ａｃｃｅｓｓ  Ｍｅｍｏｒｙ）やハードディスク（ＨＤＤ）等の大容量記憶媒体で構成され、スキャナ１が読み取った画像データをファイル毎に分類して記憶する。
【００５０】
ユーザインタフェース装置１０は、スキャナ１によって読み取られた画像情報を入力してプレビュー画像として表示し、領域を指定された場合、その領域で可能な処理項目と、その処理を施した部分的なプレビュー画像とを関連付けてメニュー表示する。また、このメニュー表示から処理項目が指定された場合、この処理を入力情報に施して、全体のプレビュー画像を表示する。
【００５１】
出力処理部３は、ユーザインタフェース装置１０によって受け付けられた処理設定に基づいて、入力画像データに対して出力処理を施す。出力処理部３は、入力した画像データに対してガンマ変換など各種の必要な画像処理を施す。画像出力部４は、出力処理部３によって施された出力処理に従って画像出力する。ここで、画像出力部４が施す出力処理は、出力用紙に画像形成して画像出力するだけでなく、ステープル処理、パンチ穴空け処理など、印刷後の後処理も含む。
【００５２】
実施の形態１によるユーザインタフェース装置１０は、プレビュー生成部１１、トリミング生成部１２、項目選択部１３、分割プレビュー生成部１４、および操作表示部１５を備える。ここで、プレビュー生成部１１とトリミング生成部１２と分割プレビュー生成部１４とは、プレビュー生成手段を構成するものである。また、操作表示部１５は、操作表示手段として機能するものである。
【００５３】
プレビュー生成部１１は、入力情報を表示するプレビュー画像情報、およびプレビュー画像を分割した分割領域を示す領域アイコン情報を生成する。プレビュー画像としては、入力した画像情報を操作表示部１５において表示するだけの情報量に間引くなどして生成する。
【００５４】
図２−１は、インタフェース装置の操作表示部が表示するプレビュー画像の一例の模式図である。ここでは、プレビュー生成部１１は、プレビュー画像を縦３つ、横３つの合計９に分割する。そして、分割した領域（分割領域と称する）２０１〜２０９をそれぞれ領域アイコンとして表示する領域アイコン情報を生成する。
【００５５】
トリミング生成部１２は、プレビュー生成部１１で分割された分割領域の情報（分割領域情報と称する）を生成する。これは、プレビュー生成部１１がプレビュー画像を９つに分割した分割領域を、操作表示部１５において表示する情報である。一種のトリミング状態で表示するため、トリミング生成部１２と称する。
【００５６】
ここで、トリミング生成部１２は、文字通り入力情報を複数に分割しても良く、重複する範囲を有してトリミングを決定しても良く、また、最初のプレビュー画像全体をトリミングしても良い。
【００５７】
操作表示部１５には、プレビュー生成部１１が生成するプレビュー画像情報および領域アイコン情報によって、プレビュー画像２４０および領域アイコン２０１〜２０９が表示される。ここに、プレビュー表示手段が実現されている。また、操作表示部１５は、表示された領域アイコン２０１〜２０９からの接触入力によって、分割された領域の指定を受け付ける。
【００５８】
操作表示部１５は、例えば、液晶ディスプレイ等が用いられ、液晶モニタの上部に、タッチパネルを配置して構成できる。操作表示部１５は、各種操作キーおよび仕上がり画像表示部分（例えば、液晶ディスプレイ）上に配設されたタッチパネルを有する。操作キーやタッチパネルからは、画像処理装置の操作を行うのに必要な各種操作が行われるとともに、特に、ユーザが印刷したい原稿に対する原稿画像の画像処理（画像加工）、印刷条件に関する設定、後処理に関する設定等の各種設定操作が受け付けられる。
【００５９】
図２−１に示すように、操作表示部１５は、入力情報に対して施す各種の処理項目として、ステープル２１１、パンチ２１２、とじしろ調整２１３、わく消去２１４、スタンプ２１５、およびページ番号２１６の各処理の項目を画面の右側に表示させている。
【００６０】
また、操作表示部１５は、出力カラー２２１、出力濃度２２２、用紙２２３、拡大／縮小２２４、片面／両面２２５、集約２２６、ソート／スタック２２７、および地肌２２８の各処理の項目を画面の左側に表示させている。
【００６１】
項目選択部１３は、操作表示部１５において表示された領域アイコン２０１〜２０９から指定を受け付けられた領域アイコンに対応する領域において、入力情報に施す処理項目を選択する。
【００６２】
図２−２は、項目選択部が使用する対応テーブルの一例の模式図である。この対応テーブルは、領域と処理項目を関連付けて規定している。領域は、２点の対角線を表示する座標で規定し、規定される２点による線分を対角線とする主走査および副走査方向に平行な矩形で規定される。例えば、「左上（０，０）、（４０，４０）」は、４点（０，０）（０，４０）（４０，０）（４０，４０）で定まる矩形領域を規定する。この矩形内に、位置を指定する入力が検出された場合は、テーブルの右に挙げられた処理項目であるステープル、ステープル斜め、わく消去、スタンプ、およびページ番号の各処理項目が選択される。
【００６３】
こうして、領域アイコンが接触入力を受け付けた場合、入力情報としての座標位置を判定し、図２−２に示した対応テーブルで座標位置によって規定される領域に該当する処理項目を検索して読み出す。また、「左側」の領域が接触入力されると、項目選択部１３は、図２−２に示した対応テーブルを参照して、パンチ、ステープル、とじしろ、わく消去、およびスタンプが処理項目として読み出す。一方、処理項目が選択されない場合としては、例えば、「左上」の領域が接触入力されると、パンチ穴を空ける処理は対応テーブルに指定されていないので、項目選択部１３は対応テーブルを参照した際に、パンチ穴処理の項目は選択しない。
【００６４】
ただし、ここで、プレビュー生成部１１は、領域アイコン情報を生成せずに、操作表示部１５が位置の指定を受け付ける領域から、項目選択部１３が処理項目を選択する構成とすることもできる。
【００６５】
分割プレビュー生成部１４は、項目選択部１３によって選択されたそれぞれの項目の処理を、プレビュー画像情報２４０の分割領域情報に対して施す。そして、処理の項目と当該処理を分割領域に施した分割プレビュー画像とを並列してトリミング画像としてメニュー表示する。
【００６６】
（１．２．分割プレビュー画像の表示）
図３は、分割領域に対する指定によって選択された処理の名称、および処理後の分割プレビュー画像を並列してメニュー表示した一例を示す模式図である。図３では、領域アイコン２０４に対して接触入力されることで分割領域が指定され、この分割領域において可能な処理が選択されてその処理の名称、およびそれぞれの処理が施された後の分割プレビュー画像が並列してメニュー表示されている。図３には、処理項目としてのパンチ穴の表示がタグ３０１の形態で、そして、指定された分割領域に対してパンチ穴を施した状態に生成された分割プレビュー画像情報によって分割プレビュー画像３１１が、表示されている。
【００６７】
同様に、処理項目としてのステープル３０２のタグ３０２表示と、ステープル処理を施した状態の分割プレビュー画像３１２が表示されている。同様に、とじしろ、わく消去、およびスタンプについても、処理項目としてのそれぞれのタグ表示３０３〜３０５と、それぞれの処理を施した状態の分割プレビュー画像３１３〜３１５が表示されている。
【００６８】
ここで、操作者が、パンチ穴処理が施されてタグ表示３０１された分割プレビュー画像３１１を見れば、パンチ穴が原稿の画像部分に干渉して、このまま出力した場合には、情報が欠損することが視認できる。従って、次にはとじしろ調整が必要であることが分かる。
【００６９】
ここで、操作者は、とじしろ調整の項目を選択し、画像中のとじしろを表す点線３２３を接触入力によって右側に移動させると、この動作によって、移動処理が施され、トリミング画像において読み取られた原稿部分が右に移動してパンチ穴の位置を回避し、パンチ穴が原稿情報に干渉してしまう不具合を回避できる。
【００７０】
「とじしろ調整」や「わく消去」のように、メニュー選択後の寸法指定によって原稿画像が変わるものに関しては、処理の内容を分かりやすいイラストで各分割プレビュー画像に表示することが望ましい。
【００７１】
ここで、わくとは、例えば分厚い原稿などをスキャナ１で読み込んだ場合、原稿の厚さで読み取り部の抑え版が浮き上がった時などに、原稿の外側に黒いわくが読み込まれてしまう現象である。わく消去とは、このような黒いわくを、画像処理によって消去してしまう処理である。
【００７２】
このように、処理によっては、特定の画像が消去されたり、あるいは、とじしろ調整によって原稿部分が移動処理を施された場合などでは、処理の結果をただちにトリミング画像に反映することが望ましい。この反対に、パンチ穴などの処理は、トリミング画像に反映すると、他の例えばステープル処理の画像と区別がつきにくくなるので、反映させないことが望ましい。
【００７３】
ここで、トリミング生成部１２がプレビュー画像全体をトリミングした場合は、プレビュー画像全体に対して処理を施し、施したそれぞれのプレビュー画像を重ねる形態で表示しても良い。
【００７４】
画面上で、例えばダブルクリックをするなどして選択を決定する入力を行うと、プレビュー生成部１１は、設定されたとじしろ量で、再びプレビュー画像情報を生成して、操作表示部１５において表示する。
【００７５】
図４−１は、パンチ穴処理後のプレビュー画像の模式図である。分割プレビュー画像からパンチ穴を設定した時に、全体のプレビュー画像の表示に戻る構成とすることもできる。図中、パンチ穴４０２および４０３がとじしろ線４０４と干渉していることが視認できる。
【００７６】
図４−２は、とじしろ調整後のプレビュー画像の模式図である。図３に示したメニュー表示によるトリミング画像のとじしろ３０３からの接触入力によって、原稿情報の位置がシフトされて、パンチ穴との干渉が避けられてことを示している。ここで、メニュー表示からの設定だけではなく、図４−１に示した画面において、右端に並列して表示されている処理項目のとじしろ２１３を介して、図３に示したメニューを呼び出して、とじしろ調整を行う構成とすることもできる。こうして、パンチ穴４２２および４２３と、とじしろ線４２４とが干渉しないように設定されたことが視認できる。
【００７７】
図５は、分割プレビュー画像の他の例の模式図である。図５においては、図２−１に示した上側を示す領域アイコン２０２からの指定入力によって、図２−２の対応テーブルで対応付けられて選択された処理の名称、および処理後の分割プレビュー画像が並列して表示されている。ここでは、画面上側の領域であって、パンチ５１１、ステープル５１２、とじしろ５１３、わく消去５１４、スタンプ５１５、およびページ番号５１６が処理項目である。
【００７８】
図６は、分割プレビュー画像のさらに他の例の模式図である。ここでは、領域アイコン２０１が選択されて、対応する画面左上の分割領域が指定され、ステープル６１１、ステープル斜め６１２、わく消去６１３、スタンプ６１４、およびページ番号６１５の処理項目およびそれぞれの処理が施された状態の分割プレビュー画像が、並列して表示されている。
【００７９】
このように、分割プレビュー画像は、所定の方向に順番に部分的に重ね合わされて配置される形態で表示されることが望ましい。分割されたプレビュー画像が大きく成りすぎずまた、小さすぎもせず、遠近法的に美感を感じさせる態様で表示することによって、それぞれの分割領域における処理後の内容が視認しやすいからである。
【００８０】
（窓の大きさ、および表示形態）
図７は、分割プレビュー画像における窓のデザインの一例を示す図表である。分割プレビュー画像付きメニューの表示窓は、着目すべき場所が確実に表示されるよう、プレビュー画像全体のサイズや触れられた場所に応じて好適な大きさになるように設定する。また、窓を重ねる順序や窓に付けられる機能名称を表すタグの位置についても同様に設定を行う。図７は、このように設定する基準の一例であるが、このような設定に限定されるものではないことは言うまでもない。
【００８１】
図８は、分割プレビュー画像における窓の配置を説明する図である。複数の窓の表示位置は、例えば下記のような規則に基づいて決定する。
（１）１つ目の窓の表示位置は、指定された領域の位置に応じて、左辺／右辺、および上辺／下辺のそれぞれ一方が、メニュー表示エリア内の対応する一辺に接する位置Ｐ１（ｘ１，ｙ１）を求め、求まった位置に表示する（窓８１１）。
（２）メニューの個数に応じて、最後の窓が（１）とは逆の辺に接する位置Ｐ２（ｘ２，ｙ２）を求める。但し、この時点ではまだ表示はしない（表示はしていないが窓８１３の位置にある）。
（３）最初の窓と最後の窓の位置、およびメニューの数に従って、隣接する窓間のシフト幅（Δｘ，Δｙ）を算出する。
（４）シフト幅の大きさを（Δｘ）2＋（Δｙ）2の平方根によって算出し、このシフト幅が所定の上限値を超える場合には、この上限値になるようにシフト幅を設定する。
（５）最終的に定められたシフト量に従って、２つ目以降の窓を順に上に重ねながら表示
する（窓８２１，８２２、および８２３）。ここで、タグが隠れない位置にするようにタ
グ、およびシフト量を設定することが望ましい。
【００８２】
ここで、全ての処理項目を一度に表示しようとすると、処理項目数が多いことによって窓の重なり部分が多過ぎる場合も生じるが、この場合は各窓内の分割プレビュー画像がプレビューとしての機能を果たさなくなるため、一画面に表示する窓数に上限を設け、前候補／次候補が存在する旨の表示、および前候補／次候補への切り替え操作を可能にするように構成する。画面に収まり切れない前候補／次候補については、例えば、該機能名称のみを表示するとしても良い。
【００８３】
（１．３．分割プレビュー画像の表示手順）
図９は、実施の形態１による分割プレビュー画像の表示手順を説明するフローチャートである。スキャナ１が読み込んだ画像情報を画像処理部２がデジタル変換する。プレビュー生成部１１は、この入力情報に対して、原稿１枚１枚について全体の表示であるプレビュー画像情報、およびプレビュー画像を分割した分割領域を示す領域アイコン情報を生成する。即ち、図２−１に示したプレビュー画像２４０、および領域アイコン２０１〜２０９を表示する情報を生成する（ステップＳ１０１）。
【００８４】
トリミング生成部１２は、プレビュー画像生成部１１で分割された分割領域についての分割領域情報を生成する（ステップＳ１０２）。実施の形態１においては、分割領域情報を、プレビュー画像情報を生成後に生成する。
【００８５】
操作表示部１５は、プレビュー画像情報２４０、および領域アイコン２０１〜２０９を表示する（ステップＳ１０３）。
【００８６】
ここで、操作表示部１５は、印刷実行の要求を受け付けて検出する状態にあって（ステップＳ１０４）、検出した場合（ステップＳ１０４のＹｅｓ）、終了して印刷の実行に移る。
【００８７】
操作表示部１５が印刷実行の要求信号を受け付け、要求信号を検出しない場合は（ステップＳ１０４のＮｏ）、操作表示部１５は、表示した領域アイコン２０１〜２０９から領域の指定を受け付ける（ステップＳ１０５）。操作表示部１５が領域アイコン２０１〜２０９から指定を受け付けない場合（ステップＳ１０５のＮｏ）は、ステップＳ１０４に戻る。
【００８８】
操作表示部１５が、領域アイコン２０１〜２０９のうちのいずれかの領域アイコンから指定を受け付けた場合（ステップＳ１０５のＹｅｓ）、項目選択部１３は、入力情報としての領域によって、図２−２に示した対応テーブルを検索し、対応する処理項目を読み出す。項目選択部１３は、図２−２に示した対応テーブルを参照して、入力座標に、パンチ、ステープル、とじしろ、わく消去、およびスタンプが処理項目として読み出す。一方、対応テーブルでは、例えば左上の領域においては、パンチ穴を空ける処理は指定されていないので、参照した際に、パンチ穴処理の項目は選択されない（ステップＳ１０６）。
【００８９】
分割プレビュー生成部１４は、領域アイコンからの指定に対応する分割領域情報に対して、選択された処理項目による処理をそれぞれ施し、該処理が施された後の分割領域の画像である分割プレビュー画像情報をそれぞれ生成する（ステップＳ１０７）。
【００９０】
操作表示部１５は、それぞれの処理項目と分割プレビュー画像とを関連付けて、それぞれメニュー表示する。特に、図３、５、および６に示したように、分割プレビュー画像をわくが取り囲み、このわくの一部を突出させてタグを形成して処理項目の名称を表示させる表示形態が望ましい（ステップＳ１０８）。このようにして、領域に関連する処理項目と、それらの項目による処理が指定された分割領域情報に対して施された分割プレビュー画像と処理項目とが並列して表示される。
【００９１】
操作表示部１５は、表示されたメニューから、操作者による接触入力によって、処理項目の指定を受け付け状態にあって（ステップＳ１０９）、受け付けない場合は（ステップＳ１０９のＮｏ）、ステップＳ１０４に戻り、受け付けた場合（ステップＳ１０９のＹｅｓ）、プレビュー生成部１４は、指定が受け付けられた処理を入力情報全体に施して、処理後のプレビュー画像情報を、さらに生成し（ステップＳ１１０）、図４−２に示したように、例えば、とじしろ調整後のパンチ穴処理のプレビュー画像を操作表示部１５に表示させる（ステップＳ１１０）。
【００９２】
（１．４．効果）
このように、実施の形態１によるユーザインタフェース装置によれば、入力情報のプレビュー画像表示から、分割された領域を表す領域アイコン２０１〜２０９からの指定を受け付けて、指定された分割領域で可能な処理項目、およびこの処理が施された分割領域のプレビュー画像を表示することによって、領域を指定する操作だけで、指定された領域に可能性な処理項目、およびこれら処理が分割領域に施された状態の処理後の分割プレビュー画像を表示することができるので、操作性の良好なユーザインタフェース装置となる。
【００９３】
また、操作表示部１５に表示された処理メニューから処理項目の指定を受け付けて、指定された処理を入力情報全体に施して、この処理後のページごとに全体的なプレビュー画像を再び表示することによって、所望の処理を指定して施した後の全体的な仕上がり状態を効率良く簡易な操作で表示させることができるので、操作性の良好なユーザインタフェース装置となる。
【００９４】
また、実施の形態１によるユーザインタフェース装置では、表示した領域アイコンから領域が選択される前に、すでにトリミング生成部１２によって分割領域情報が生成されているので、領域アイコンが指定された場合に、分割プレビュー画像を生成する時間が短縮でき、分割プレビュー画像を有するメニュー表示を瞬時に行うことができる。
【００９５】
（２．実施の形態２）
実施の形態２によるユーザインタフェース装置が実施の形態１と異なる点は、操作表示部１５において、プレビュー画像および領域アイコンを表示し、先ず、表示された領域アイコンから指定を受け付けて、しかる後に、トリミング生成部１２が、指定された領域アイコンに対応する分割領域の情報を生成する点である。即ち、実施の形態１の場合は、表示した領域アイコンから領域が選択される前にすでにトリミング生成部１２によって分割領域情報が生成されているのに対して、実施の形態２においては、領域アイコンから領域が指定された後に、トリミング生成部１２が分割領域情報を生成する。
【００９６】
実施の形態２によるユーザインタフェース装置の機能的ブロック図は、実施の形態１によるユーザインタフェース装置の機能的ブロック図である図１と同様であるので、図示を省略する。
【００９７】
図１０は、実施の形態２による分割プレビュー画像の表示手順を説明するフローチャートである。実施の形態２の場合は、プレビュー生成部１１が、入力情報を表示するプレビュー画像情報、およびプレビュー画像を分割した分割領域を示す領域アイコン情報を生成した（ステップＳ２０１）後に、操作表示部１５は、プレビュー画像情報、および領域アイコンを表示する（ステップＳ２０２）。
【００９８】
ここで、操作表示部１５は印刷実行の要求を検出状態にあって（ステップＳ２０３）、要求を検出した場合（ステップＳ２０３のＹｅｓ）、終了して画像形成装置は印刷を実行する。
【００９９】
操作表示部１５が印刷実行の要求を検出しない場合（ステップＳ２０３のＮｏ）、操作表示部１５は、領域アイコンから指定を受け付けたか否かを検出し（ステップＳ２０４）、検出しない場合、ステップＳ２０３に戻る。
【０１００】
操作表示部１５が、領域アイコンから指定を受け付けたことを検出した場合（ステップＳ２０４のＹｅｓ）、トリミング生成部１２は、指定を受け付けた領域アイコンに対応する分割領域についてのみ、分割領域情報を生成する（ステップＳ２０５）。この点が、実施の形態１による場合と異なる。
【０１０１】
項目選択部１３は指定された分割領域に対応する処理項目を選択し（ステップＳ２０６）、分割プレビュー生成部１４は、指定された分割領域情報に対して、選択されたそれぞれの処理を施してそれぞれの分割プレビュー画像情報を生成し（ステップＳ２０７）、処理項目をタグとして分割プレビュー画像と並列してそれぞれ表示する（ステップＳ２０８）。これ以降は、実施の形態１におけるステップＳ１０９と同様であるので、説明を省略する。
【０１０２】
このように、実施の形態２によるユーザインタフェース装置によれば、先ず、プレビュー画像および領域アイコンを表示し、表示された領域アイコンから指定を受け付けた場合、トリミング生成部１２が、指定された領域アイコンに対応する分割領域のみの情報を生成するので、分割領域の生成に無駄が無く、操作性の良好なユーザインタフェース装置となる。
【０１０３】
また、表示した領域アイコンから領域が選択されてから、トリミング生成部１２が分割領域情報を生成するので、必要な場面で必要な部分の分割領域情報だけを生成して分割プレビュー画像を表示すれば良く、ＣＰＵへの負荷が分散され、プレビュー画像更新後、直ちに操作を行うことができる。
【０１０４】
（３．実施の形態３）
図１１は、実施の形態３によるインタフェース装置を備えた画像形成装置の機能的ブロック図である。実施の形態３によるユーザインタフェース装置３０が、実施の形態２と異なる点は、領域アイコンを介して指定される分割領域情報がすでに生成されているか否かを判定する判定更新部３６を、さらに備える点である。
【０１０５】
トリミング生成部３２は、すでに生成した分割領域情報をＨＤＤ５に格納しておく。判定更新部３６は、領域アイコンを介して指定された分割領域情報が、ＨＤＤ５に格納されているか否かを検出し、生成されていないと判定した場合は、トリミング生成部３２が指定された領域アイコンに対応する分割領域情報を生成する。
【０１０６】
一方、判定更新部３６が、ＨＤＤ５において格納されている分割領域情報を検知してすでに生成されていると判定した場合、該生成されていて格納されている分割領域情報のうち最新のものを読み出してトリミング生成部３２に送信する。
【０１０７】
分割プレビュー生成部１４は、トリミング生成部３２が得た分割領域情報に対して、項目選択部１３で選択された処理項目によってそれぞれ処理を施し、該処理が施された後の分割領域の画像である分割プレビュー画像情報と当該処理項目とを関連付けて、操作表示部１５にメニュー表示させる。
【０１０８】
図１２は、実施の形態３による分割プレビュー画像の表示手順を説明するフローチャートである。ステップＳ３０１〜ステップＳ３０４は、実施の形態２におけるステップＳ２０１〜Ｓ２０４と同様であるので、説明を省略する。
【０１０９】
操作表示部１５は、領域アイコンから指定を受け付けた場合（ステップＳ３０４のＹｅｓ）、判定更新部３６は、指定された領域アイコンに対応する領域の分割領域情報がＨＤＤ５に格納されているか否かを判定する（ステップＳ３０５）。格納されていないと判定した場合（ステップＳ３０５のＮｏ）、トリミング生成部３２は、指定された領域の分割領域情報を生成する（ステップＳ３０７）。
【０１１０】
一方、格納されていると判定した場合（ステップＳ３０５のＹｅｓ）、判定更新部３６は、指定された領域アイコンに対応する最新の分割領域情報をＨＤＤ５から取得し、この分割領域情報の時刻情報を更新して、トリミング生成部３２に送信する（ステップＳ３０６）。こうして、判定更新部３６の判定結果に関わらず、トリミング生成部３２は、指定された分割領域の情報を得る。
【０１１１】
ステップＳ３０８以降は、実施の形態２におけるステップＳ２０６以降と同様であるので、説明を省略する。
【０１１２】
このように、実施の形態３によるユーザインタフェース装置によると、領域アイコンを介して指定される分割領域情報がすでに生成されていた場合、この分割領域情報を利用するので、プレビュー画像上の分割領域が選択された時点で、この分割領域についての最新の分割領域情報が既に存在していればそれを使用し、なければこの時点で分割領域情報を生成するので、ＣＰＵへの負荷が分散される。
【０１１３】
（４．変形例）
プレビュー生成部１１は、プレビュー画像を、９つの分割領域に分割する以外にも、分割領域の個数を設定する構成とすることができる。入力情報に応じて適宜、設定項目の増減などに対応して良好な操作性のために、設定することができるからである。
【０１１４】
また、プレビュー生成部１１は、設定する処理項目を、分割プレビュー画像と離れた位置に表示するよう生成し、操作表示部１５は、プレビュー生成部１１が生成する処理項目を表示して表示された処理項目から設定を受け付ける構成とすることができる。分割プレビュー画像を有するメニュー表示以外からの指定が便利な場合もあるからである。
【０１１５】
また、分割プレビュー画像を有するメニュー表示において、処理項目が選択された場合、選択された項目および分割プレビュー画像を強調表示することが望ましい。これと反対に、非選択となった処理項目および分割プレビュー画像については、ブラックアウト処理を施した表示とすることが望ましい。いずれも、選択された処理項目とそのプレビュー画像が視認しやすくするためである。
【０１１６】
また、メニュー表示としては、上記の説明では主に、プレビュー画像を部分的にトリミングした分割領域に対して処理を施して表示する方式を説明したが、この領域の分割は、重複を許す分割とすることができる。
【０１１７】
さらに、プレビュー画像そのものに対して処理を施してメニュー表示することもできる。この場合、互いに重ねて表示することによって、実質的には一部分のみを重ねてプレビュー表示することになるので、処理の結果を部分的に並べて比較することができる。
【０１１８】
（５．ハードウェア構成など）
図１３は、実施の形態によるユーザインタフェース装置を備えた画像形成装置のハードウェア構成を示すブロック図である。この画像形成装置は、ファックスやスキャナなどの複合的機能を備える複合機（ＭＦＰ）として構成されている。図に示すように、このＭＦＰは、コントローラ２２１０とエンジン部２２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ２２１０は、ＭＦＰ全体の制御、画像表示制御、各種制御、画像処理制御など、ＦＣＵＩ／Ｆ２２３０、操作表示部１５からの入力を制御するコントローラである。エンジン部２２６０は、ＰＣＩバスに接続可能な画像処理エンジンなどであり、例えば取得した画像データに対して誤差拡散やガンマ変換などの画像処理部分が含まれる。
【０１１９】
コントローラ２２１０は、ＣＰＵ２２１１と、ノースブリッジ（ＮＢ）２２１３と、システムメモリ（ＭＥＭ−Ｐ）２２１２と、サウスブリッジ（ＳＢ）２２１４と、ローカルメモリ（ＭＥＭ−Ｃ）２２１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２２１６と、ハードディスクドライブ５とを有し、ノースブリッジ２２１３とＡＳＩＣ２２１６との間をＡＧＰ（Ａｃｃｅｌｅｒａｔｅｄ  Ｇｒａｐｈｉｃｓ  Ｐｏｒｔ）バス２２１５で接続した構成となる。また、ＭＥＭ−Ｐ２２１２は、ＲＯＭ（Ｒｅａｄ  Ｏｎｌｙ  Ｍｅｍｏｒｙ）２２１２ａと、ＲＡＭ（Ｒａｎｄｏｍ  Ａｃｃｅｓｓ  Ｍｅｍｏｒｙ）２２１２ｂとをさらに有する。
【０１２０】
ＣＰＵ２２１１は、ＭＦＰの全体制御を行うものであり、ＮＢ２２１３、ＭＥＭ−Ｐ２２１２およびＳＢ２２１４からなるチップセットを有し、このチップセットを介して他の機器と接続される。
【０１２１】
ＮＢ２２１３は、ＣＰＵ２２１１とＭＥＭ−Ｐ２２１２、ＳＢ２２１４、ＡＧＰ２２１５とを接続するためのブリッジであり、ＭＥＭ−Ｐ２２１２に対する読み書きなどを制御するメモリコントローラと、ＰＣＩマスタおよびＡＧＰターゲットとを有する。
【０１２２】
ＭＥＭ−Ｐ２２１２は、プログラムやデータの格納用メモリ、プログラムやデータの展開用メモリなどとして用いるシステムメモリであり、ＲＯＭ４４６とＲＡＭ２２１２ｂとからなる。ＲＯＭ２２１２ａは、プログラムやデータの格納用メモリとして用いる読み出し専用のメモリであり、ＲＡＭ２２１２ｂは、プログラムやデータの展開用メモリ、画像処理時の画像描画メモリなどとして用いる書き込みおよび読み出し可能なメモリである。
【０１２３】
ＳＢ２２１４は、ＮＢ２２１３とＰＣＩデバイス、周辺デバイスとを接続するためのブリッジである。このＳＢ２２１４は、ＰＣＩバスを介してＮＢ２２１３と接続されており、このＰＣＩバスには、ＦＣＵＩ／Ｆ２２３０なども接続される。
【０１２４】
ＡＳＩＣ２２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ２２１５、ＰＣＩバス、ＨＤＤ５およびＭＥＭ−Ｃ２２１７をそれぞれ接続するブリッジの役割を有する。
【０１２５】
このＡＳＩＣ２２１６は、ＰＣＩターゲットおよびＡＧＰマスタと、ＡＳＩＣ２２１６の中核をなすアービタ（ＡＲＢ）と、ＭＥＭ−Ｃ２２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部２２６０との間でＰＣＩバスを介してＵＳＢ（Ｕｎｉｖｅｒｓａｌ  Ｓｅｒｉａｌ  Ｂｕｓ）２２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェース２２５０が接続される。
【０１２６】
ＭＥＭ−Ｃ２２１７は、送信用画像バッファ、符号バッファとして用いるローカルメモリであり、ＨＤＤ５は、画像データの蓄積、プログラムの蓄積、フォントデータの蓄積、フォームの蓄積を行うためのストーレジである。
【０１２７】
ＡＧＰ２２１５は、グラフィック処理を高速化するために提案されたグラフィックスアクセラレータカード用のバスインタフェースであり、ＭＥＭ−Ｐ２２１２に高スループットで直接アクセスすることにより、グラフィクスアクセラレータカードを高速にするものである。
【０１２８】
ＡＳＩＣ２２１６に接続する操作表示部１５は、操作者からの操作入力を受け付けて、ＡＳＩＣ２２１６に受け付けられた操作入力情報を送信する。
【０１２９】
なお、実施の形態によるユーザインタフェース装置を組み込んだＭＦＰで実行されるメニュー表示プログラムは、ＲＯＭ等に予め組み込まれて提供される。
【０１３０】
実施の形態によるユーザインタフェース装置を組み込んだＭＦＰで実行されるメニュー表示プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１３１】
さらに、実施の形態によるユーザインタフェース装置を組み込んだＭＦＰで実行されるメニュー表示プログラムを、インターネット等のネットワークに接続されたコンピュータ上に格納し、ネットワーク経由でダウンロードさせることにより提供するように構成しても良い。また、実施の形態によるユーザインタフェース装置を組み込んだＭＦＰで実行されるメニュー表示プログラムをインターネット等のネットワーク経由で提供または配布するように構成しても良い。
【０１３２】
実施の形態によるユーザインタフェース装置を組み込んだＭＦＰで実行されるメニュー表示プログラムは、上述した各部（プレビュー生成部１１、トリミング生成部１２、項目選択部１３、分割プレビュー生成部１４、操作表示部１５、および判定更新部３６など）を含むモジュール構成となっており、実際のハードウェアとしてはＣＰＵ（プロセッサ）が上記ＲＯＭからメニュー表示プログラムを読み出して実行することにより上記各部が主記憶装置上に、プレビュー生成部１１、トリミング生成部１２、項目選択部１３、分割プレビュー生成部１４、操作表示部１５、および判定更新部３６などが主記憶装置上に生成されるようになっている。
【０１３３】
以上説明した本発明の実施の形態あるいは変形例は、説明のための一例であって、本発明はここに説明したこれらの具体例に限定されるものではない。
【産業上の利用可能性】
【０１３４】
以上のように、本発明にかかるユーザインタフェース装置、プレビュー画像表示方法およびプログラムは、電子機器のインタフェース技術に有用であり、特に、入力情報を表示して設定を行う電子機器のインタフェース技術に適している。
【図面の簡単な説明】
【０１３５】
【図１】実施の形態１によるユーザインタフェース装置を備えた画像形成装置の機能的ブロック図である。
【図２−１】インタフェース装置の操作表示部が表示するプレビュー画像の一例の模式図である。
【図２−２】項目選択部が使用する対応テーブルの一例の模式図である。
【図３】分割領域に対する指定によって選択された処理の名称、および処理後の分割プレビュー画像を並列してメニュー表示した一例を示す模式図である。
【図４−１】パンチ穴処理後のプレビュー画像の模式図である。
【図４−２】とじしろ調整後のプレビュー画像の模式図である。
【図５】分割プレビュー画像の他の例の模式図である。
【図６】分割プレビュー画像のさらに他の例の模式図である。
【図７】分割プレビュー画像における窓のデザインの一例を示す図表である。
【図８】分割プレビュー画像における窓の配置を説明する図である。
【図９】実施の形態１による分割プレビュー画像の表示手順を説明するフローチャートである。
【図１０】実施の形態２による分割プレビュー画像の表示手順を説明するフローチャートである。
【図１１】実施の形態３によるインタフェース装置を備えた画像形成装置の機能的ブロック図である。
【図１２】実施の形態３による分割プレビュー画像の表示手順を説明するフローチャートである。
【図１３】実施の形態によるユーザインタフェース装置を備えた画像形成装置のハードウェア構成を示すブロック図である。
【符号の説明】
【０１３６】
１  スキャナ
２  画像処理部
３  出力処理部
４  画像出力部
５  ＨＤＤ
１０、３０  ユーザインタフェース装置
１１  プレビュー生成部
１２、３２  トリミング生成部
１３  項目選択部
１４  分割プレビュー生成部
１５  操作表示部
３６  判定更新部
【図１】
2007189663.tif 000003
【図２−１】
2007189663.tif 000004
【図２−２】
2007189663.tif 000005
【図３】
2007189663.tif 000006
【図４−１】
2007189663.tif 000007
【図４−２】
2007189663.tif 000008
【図５】
2007189663.tif 000009
【図６】
2007189663.tif 000010
【図７】
2007189663.tif 000011
【図８】
2007189663.tif 000012
【図９】
2007189663.tif 000013
【図１０】
2007189663.tif 000014
【図１１】
2007189663.tif 000015
【図１２】
2007189663.tif 000016
【図１３】
2007189663.tif 000017